(57)【要約】【課題】パソコン本体に接続されるマウスのコードの捩れ・絡みを防止するマウスコードホルダーを提供すること。【解決手段】実在若しくは架空のキャラクターからなる所定高さのホルダー本体２と、そのホルダー本体２を載せる台座１０と、マウスのコード２１の一部２１ａを差し込む差込部１７が上部に形成された支持杆１５とからなり、その台座１０には、上面に弾性変形可能な係合片１１，１１を突出するように設けると共に支持杆１５の下端部１５ｂを挿入する固定用穴１３を形成し、他方、そのホルダー本体２の底部には係合片１１，１１に対応する嵌合穴１３を形成し、台座１０の固定用穴１３に挿入して固定された支持杆１５の差込部１７にコード２１の一部２１ａを差し込むことにより、同コードの一部が支持杆１５により支持されるようにした。【選択図】図１
0003124614.tif 000002
【実用新案登録請求の範囲】
【請求項１】
パーソナルコンピュータの操作・入力作業を行う際に用いられるマウスのコードの一部を所定高さにて支持するように設けたマウスコードホルダーであって、
実在若しくは架空のキャラクターからなる所定高さのホルダー本体と、そのホルダー本体を載せる台座と、前記マウスのコードの一部を差し込む差込部が上部に形成された支持杆とからなり、その台座には、上面に弾性変形可能な係合片を突出するように設けると共に前記支持杆の下端部を挿入する固定用穴を形成し、他方、そのホルダー本体の底部には前記係合片に対応する嵌合部を形成し、前記台座の固定用穴に挿入して固定された前記支持杆の差込部に前記コードの一部を差し込むことにより、同コードの一部が支持杆により支持されるように構成したことを特徴とするマウスコードホルダー。
【請求項２】
パーソナルコンピュータの操作・入力作業を行う際に用いられるマウスのコードの一部を所定高さにて支持するように設けたマウスコードホルダーであって、
実在若しくは架空のキャラクターからなる所定高さのホルダー本体と、前記マウスのコードの一部を差し込む差込部が上部に形成された支持杆とからなり、そのホルダー本体の所定箇所には、該支持杆の下端部を挿入する固定用穴を形成し、前記ホルダー本体の固定用穴に挿入して固定された前記支持杆の差込部に前記コードの一部を差し込むことにより、同コードの一部が支持杆に支持されるように構成したことを特徴とするマウスコードホルダー。
【考案の詳細な説明】
【技術分野】
【０００１】
本考案は、パーソナルコンピュータの操作・入力作業を行う際に用いられるマウスのコードの一部を所定高さにて支持するマウスコードホルダーに関するものである。
【背景技術】
【０００２】
パーソナルコンピュータ（以下、「パソコン」という）の操作・入力作業については、マウスを使用して行われるのが一般的である。マウスは無線式のものを除いて、パソコン本体と所定長さのコードにより接続されている。マウスは、通常マウスパッドの上に置かれた状態にて操作者により任意の方向に移動されるが、パソコン本体に近づけばたるみが増し、離れれば延びる状態となる。
【０００３】
ところが、マウスの移動に伴ってコードがねじれたりして操作性が悪くなることがあったり、コードが邪魔になることがある。このため、コードの捩れや絡みを防止し、マウスの操作性を損なわないことを目的とするマウスコードホルダーの提案がなされている。
【０００４】
特開平１１−１０２２５８号公報には、マウスコードをマウス操作面の上方に持ち上げて支持する支持部が設けられた支柱をマウスのコード取付部の近くに固定する立設手段を備えたマウスコードホルダーが開示されている。
【０００５】
特開２００３−８４８６３号公報には、マウスコードを保持具によって一度逆方向、或いは逆方向の上に向けて保持するようにしたマウスコード机上保持具が開示されている。
【特許文献１】特開平１１−１０２２５８号公報
【特許文献２】特開２００３−８４８６３号公報
【考案の開示】
【考案が解決しようとする課題】
【０００６】
この考案の目的は、パソコン本体に接続されるマウスのコードの捩れ・絡みを防止するマウスコードホルダーを提供することにある。
【課題を解決するための手段】
【０００７】
請求項１に記載の考案は、パーソナルコンピュータの操作・入力作業を行う際に用いられるマウスのコードの一部を所定高さにて支持するように設けたマウスコードホルダーであって、実在若しくは架空のキャラクターからなる所定高さのホルダー本体と、そのホルダー本体を載せる台座と、前記マウスのコードの一部を差し込む差込部が上部に形成された支持杆とからなり、その台座には、上面に弾性変形可能な係合片を突出するように設けると共に前記支持杆の下端部を挿入する固定用穴を形成し、他方、そのホルダー本体の底部には前記係合片に対応する嵌合部を形成し、前記台座の固定用穴に挿入して固定された前記支持杆の差込部に前記コードの一部を差し込むことにより、同コードの一部が支持杆により支持されるように構成したことを特徴とするのである。
【０００８】
請求項２に記載の考案は、パーソナルコンピュータの操作・入力作業を行う際に用いられるマウスのコードの一部を所定高さにて支持するように設けたマウスコードホルダーであって、実在若しくは架空のキャラクターからなる所定高さのホルダー本体と、前記マウスのコードの一部を差し込む差込部が上部に形成された支持杆とからなり、そのホルダー本体の所定箇所には、該支持杆の下端部を挿入する固定用穴を形成し、前記ホルダー本体の固定用穴に挿入して固定された前記支持杆の差込部に前記コードの一部を差し込むことにより、同コードの一部が支持杆に支持されるように構成したことを特徴とするものである。
【考案の効果】
【０００９】
このマウスコードホルダーは、マウスのコードの一部を支持杆の差込部に差し込んで支持させることにより、コードの捩れ・絡みを防止することができ、マウスの操作性が良好となる。
【考案を実施するための最良の形態】
【００１０】
以下に、本考案の最良の形態例を図面に基づいて説明する。図１は本考案にかかるマウスコードホルダーの正面図、図２はマウスコードホルダーの背面図、図３はホルダー本体と台座とを分離した状態を示す斜視図、図４は支持杆の正面図である。
【００１１】
図１に示すように、本考案にかかるマウスコードホルダー１は、ホルダー本体２と、ホルダー本体２を載せる台座１０と、マウスのコードの一部を所定高さにて支持するための支持杆１５とからなる。２０はマウスである。
【００１２】
そのホルダー本体２は、猫・犬・人物等の実在の動物、花木等の植物若しくはこれらを基にデザイン化した形態又は架空のキャラクターからなる所定高さの形態とされている。この実施形態例では、ホルダー本体２を猫の形態とし、その底部２ａに嵌合部としての所定の大きさの嵌合穴３が形成されている。
【００１３】
台座１０は、図３に示すように、やや扁平な四角形のブロック形態とされている。この台座１０の上面１０ａには、内外方向に弾性変形可能な爪片１２を夫々供えた一対の係合片１１，１１をほぼ中央部に上方へ突出するように設けると共に後記支持杆１５の下端部１５ｂを挿入するためのテーパー形状の固定用穴１３を後隅角部１０ｂ寄りに形成している。なお、係合片１１，１１は、前記ホルダー本体２の嵌合穴３を少しきつめに嵌着することができるように設けるのが好ましい。
【００１４】
支持杆１５は、図４に示すように、所定長さの棒形状とされている。この支持杆１５の上部１５ａには、細い幅の長溝１６が長手方向に形成されていて、その長溝１６の上端寄り内面を三角形状に切欠してマウスのコード２１の一部２１ａを差し込むための差込部１７が設けられている。また、支持杆１５の下端部１５ｂは、先細りのテーパー形とされている。１８は開放部１８ａを下向きとして支持杆１５の下端部１５ａから少し上方に一体状に設けられたフックである。
【００１５】
つぎに、かかる構成になる本考案のマウスコードホルダー１の作用について述べる。
最初に、ホルダー本体２の嵌合穴３を台座１０の係合片１１，１１に挿入することにより、ホルダー本体２を当該台座１０に固定する。そして、支持杆１５の下端部１５ｂを台座１０の固定用穴１３に挿入することにより支持杆１５を当該台座１０に固定し、マウスコードホルダー１をマウスパッド（図示せず）の前方の適宜箇所にセットする。
【００１６】
ついで、支持杆１５の差込部１７にマウスのコード２１の一部２１ａを差し込むと共にフック１８に引っ掛けてセットする。
そこで、マウス２０をマウスパッドの上に置いた状態にて操作者により任意の方向に移動すれば、マウス２０のコード２１はパソコン本体（図示せず）に近づけばたるみが増し、離れれば延びる状態となるが、コード２１ａがマウスコードホルダー１により保持されているので、コード２１の捩れ・絡みは可及的に防止される。
【００１７】
（他の実施形態例）
上述したマウスコードホルダー１は、ホルダー本体２と、台座１０と、マウスのコードの一部を固定する支持杆１５とからなるが、これをホルダー本体と、マウスのコードの一部を固定する支持杆とからなる構成とすることもできる。ただし、この場合にはホルダー本体の所定箇所に、支持杆の下端部を挿入するための固定用穴を形成することになる。
【００１８】
かかる構成になるマウスコードホルダーの作用については、上述したマウスコードホルダー１と変わるところがないので、説明を省く。
【００１９】
以上に述べた通り、マウスのコードの一部を支持杆の差込部に差し込んで支持させることにより、コードの捩れ・絡みを可及的に防止することができる。加えて、マウスの操作性が良好となるという利点がある。
【図面の簡単な説明】
【００２０】
【図１】本考案にかかるマウスコードホルダーの正面図
【図２】マウスコードホルダーの背面図
【図３】ホルダー本体と台座とを分離した状態を示す斜視図
【図４】支持杆の正面図
【符号の説明】
【００２１】
１・・・マウスコードホルダー
２・・・ホルダー本体
３・・・嵌合穴（嵌合部）
１０・・・台座
１３・・・固定用穴
１１、１１・・・係合片
１５・・・支持杆
１５ｂ・・・下端部
１７・・・差込部
２０・・・マウス
２１・・・コード
２１ａ・・・（コードの）一部
【図１】
0003124614.tif 000003
【図２】
0003124614.tif 000004
【図３】
0003124614.tif 000005
【図４】
0003124614.tif 000006